(57)【要約】【課題】付勢力が発現するように置き台に設けられる被押圧部材及び係止部を、簡易な構成で且つ少ない部品点数で実現できる置き台を提供する。【解決手段】携帯電子機器の載置部１１３と、第１開口１１３Ｂと、第２開口１１３Ａと、第３開口１１３Ｃと、携帯電子機器の被係止部を係止する係止部１３２を有し、第１開口１１３Ｂを介して係止部１３２が筐体の外部に突出するように付勢される係止部材１３０と、携帯電子機器により筐体の内部に向けて押圧される被押圧部１２３を有し、第２開口１１３Ａを介して被押圧部１２３が筐体の外部に突出するように付勢される被押圧部材１２０と、携帯電子機器の被接触端子に接触する接触端子１５２Ａを有し、第３開口１１３Ｃを介して接触端子１５２Ａが筐体の外部に突出可能な端子部材１５０と、を備え、係止部材１３０及び被押圧部材１２０は、同一の付勢力発生手段１４０からの付勢力を受ける。【選択図】図６
2010166436.tif 000002
【特許請求の範囲】
【請求項１】
被係止部及び被接触端子を有する携帯電子機器が載置される置き台であって、
前記携帯電子機器が載置される載置部と、
第１開口と、第２開口と、第３開口と、を備える筐体、及び、
前記載置部に載置された状態における前記携帯電子機器の前記被係止部を係止する係止部を有し、前記第１開口を介して前記係止部が前記携帯電子機器に向かって突出する方向に付勢されて構成される係止部材と、
前記載置部に載置された状態における前記携帯電子機器により前記筐体の内部に向けて押圧される被押圧部を有し、前記第２開口を介して前記被押圧部が前記携帯電子機器に向かって突出する方向に付勢されて構成される被押圧部材と、
前記載置部に載置された状態における前記携帯電子機器の被接触端子に接触する接触端子を有し、前記第３開口を介して前記接触端子が前記被接触端子に向って突出可能に構成される端子部材と、
を備え、
前記係止部材及び前記被押圧部材は、同一の付勢力発生手段からの付勢力を受ける置き台。
【請求項２】
前記端子部材は、第３回転軸を中心に回動自在に構成され、
前記被押圧部材は、前記接触端子が前記第３開口から離間するように前記端子部材を押圧する端子部材押圧部を有する請求項１に記載の置き台。
【請求項３】
前記係止部材は、前記係止部から離間した第１回転軸を中心に回動自在に構成され、
前記被押圧部材は、前記被押圧部から離間した第２回転軸を中心に回動自在に構成される請求項１又は２に記載の置き台。
【請求項４】
前記付勢力発生手段は、コイルばねからなり、該コイルばねは、前記係止部材を前記第１回転軸を中心に回動させるように付勢すると共に、前記被押圧部材を前記第２回転軸を中心に前記係止部材の回動方向とは反対方向に回動させるように付勢する請求項３に記載の置き台。
【請求項５】
前記第１回転軸は、第１回転軸形成部材から形成され、
前記第２回転軸は、前記第１回転軸形成部材とは別体の第２回転軸形成部材から形成される請求項３又は４に記載の置き台。
【請求項６】
前記付勢力発生手段は、前記係止部材と一体的に形成された一体ばね部から構成される請求項１から３のいずれかに記載の置き台。
【請求項７】
前記第１回転軸及び前記第２回転軸は、一体的な回転軸形成部材から形成される請求項３又は４に記載の置き台。
【請求項８】
前記接触端子は、充電用の端子である請求項１から７のいずれかに記載の置き台。
【発明の詳細な説明】
【技術分野】
【０００１】
本発明は、携帯電話機のバッテリなどに充電を行う充電台などの置き台に関する。
【背景技術】
【０００２】
携帯電話機の内部には、一般的にバッテリ（充電池）が搭載されており、バッテリへの充電は、例えば、携帯電話機を充電台の所定の載置部に載置することにより行われる。携帯電話機には、バッテリの端子に接続された機器側充電端子が露出して設けられていることが多い。また、充電台には、載置部に携帯電話機を載置した状態において機器側充電端子に接触する台側充電端子が設けられていることが多い。このような携帯電話機と充電台との組み合わせによれば、充電台の載置部に携帯電話機を載置した状態において台側充電端子と機器側充電端子とが接触して、充電台から携帯電話機のバッテリへの充電を行うことができる。
【０００３】
ここで、台側充電端子は、充電時（つまり、充電台の載置部に携帯電話機が載置された状態のとき）に必要となる。そのため、充電時以外には、台側充電端子の破損などを防止するために充電台の内部に収納されており、一方、充電時には、充電台の外部に突出するようになっていることが望まれている。このような構成としては、例えば、充電台の載置部に出没自在な被押圧部材を設け、被押圧部材の出没に連動して台側充電端子を充電台から出没自在に構成したものがある。このような構成の充電台においては、充電台の載置部に携帯電話機を載置すると、携帯電話機により被押圧部材が押圧され、これに連動して、台側充電端子が充電台の外部に突出する。
【０００４】
また、充電台には、前述の台側充電端子の構成に加えて、携帯電話機の載置状態を保持（ロック）する構成が望まれている。これを実現する構成としては、例えば、携帯電話機の外面に凹状の被係止部を設け、充電台に、この被係止部に係止する係止部を付勢した状態で設けた構成がある（例えば、下記特許文献１参照）。このような構成によれば、携帯電話機を充電台の載置部に載置すると、携帯電話機により充電台の被押圧部材が押圧されて充電台の外部に台側充電端子が突出して、携帯電話機の機器側充電端子と充電台の台側充電端子とが接触し、これにより、充電台から携帯電話機のバッテリへの充電が行われる。これと同時に、携帯電話機の被係止部に充電台の係止部が係止されて、充電台への携帯電話機の載置状態が保持される。なお、ここでいう載置状態の保持は、充電状態が確保できる程度の保持力があれば十分である。
【０００５】
このような構成の充電台においては、被押圧部材を充電台の外部に向けて突出させる方向の付勢力と、係止部を携帯電話機の被係止部に係合させる方向の付勢力との２つの付勢力を発現させる必要がある。このような構成を実現する場合、被押圧部材及び係止部それぞれにコイルばね等の弾性部材を取り付け、この弾性部材の弾性力を利用して、被押圧部材及び係止部それぞれに付勢力を発現させていた。
【先行技術文献】
【特許文献】
【０００６】
【特許文献１】特開２００７−１４２８１８号公報
【発明の概要】
【発明が解決しようとする課題】
【０００７】
しかし、前述の従来の技術によれば、被押圧部材及び係止部それぞれに付勢力を発現させる部材（弾性部材など）を設ける必要があり、構造が複雑化すると共に部品点数が増加するという問題点がある。この問題点は、携帯電話機用の充電台以外にも発生し、例えば、携帯電話機以外の携帯電子機器用の充電台、充電台以外の置き台などの場合にも同様に発生しうる。
【０００８】
従って、本発明は、付勢力が発現するように置き台に設けられる被押圧部材及び係止部を、簡易な構成で且つ少ない部品点数で実現することができる置き台を提供することを目的とする。
【課題を解決するための手段】
【０００９】
本発明は、被係止部及び被接触端子を有する携帯電子機器が載置される置き台であって、前記携帯電子機器が載置される載置部と、第１開口と、第２開口と、第３開口と、を備える筐体、及び、前記載置部に載置された状態における前記携帯電子機器の前記被係止部を係止する係止部を有し、前記第１開口を介して前記係止部が前記携帯電子機器に向かって突出する方向に付勢されて構成される係止部材と、前記載置部に載置された状態における前記携帯電子機器により前記筐体の内部に向けて押圧される被押圧部を有し、前記第２開口を介して前記被押圧部が前記携帯電子機器に向かって突出する方向に付勢されて構成される被押圧部材と、前記載置部に載置された状態における前記携帯電子機器の被接触端子に接触する接触端子を有し、前記第３開口を介して前記接触端子が前記被接触端子に向って突出可能に構成される端子部材と、を備え、前記係止部材及び前記被押圧部材は、同一の付勢力発生手段からの付勢力を受ける置き台に関する。
【００１０】
また、前記端子部材は、第３回転軸を中心に回動自在に構成され、前記被押圧部材は、前記接触端子が前記第３開口から離間するように前記端子部材を押圧する端子部材押圧部を有することが好ましい。
【００１１】
また、前記係止部材は、前記係止部から離間した第１回転軸を中心に回動自在に構成され、前記被押圧部材は、前記被押圧部から離間した第２回転軸を中心に回動自在に構成されることが好ましい。
【００１２】
また、前記付勢力発生手段は、コイルばねからなり、該コイルばねは、前記係止部材を前記第１回転軸を中心に回動させるように付勢すると共に、前記被押圧部材を前記第２回転軸を中心に前記係止部材の回動方向とは反対方向に回動させるように付勢することが好ましい。
【００１３】
また、前記第１回転軸は、第１回転軸形成部材から形成され、前記第２回転軸は、前記第１回転軸形成部材とは別体の第２回転軸形成部材から形成されることが好ましい。
【００１４】
また、前記付勢力発生手段は、前記係止部材と一体的に形成された一体ばね部から構成されることが好ましい。
【００１５】
また、前記第１回転軸及び前記第２回転軸は、一体的な回転軸形成部材から形成されることが好ましい。
【００１６】
また、前記接触端子は、充電用の端子であることが好ましい。
【発明の効果】
【００１７】
本発明によれば、付勢力が発現するように置き台に設けられる被押圧部材及び係止部を、簡易な構成で且つ少ない部品点数で実現することができる置き台を提供することができる。
【図面の簡単な説明】
【００１８】
【図１】本発明に係る第１実施形態の充電台１００を示す斜視図であり、（Ａ）は、台側充電端子１５２Ａが突出していない状態を示す図、（Ｂ）は、仮想的に台側充電端子１５２Ａが突出している状態を示す図である。
【図２】図１に示す充電台１００に携帯電話機１が載置された状態を示す斜視図である。
【図３】図２に示す携帯電話機１を閉じた状態で示す斜視図である。
【図４】図２に示す携帯電話機１を開いた状態で示す斜視図である。
【図５】図３に示す携帯電話機１を操作部側筐体２の背面２ｂ側から見た斜視図である。
【図６】図１に示す充電台１００を示す部分断面斜視図である。
【図７】図１に示す充電台１００の縦断面図である。
【図８】図１に示す充電台１００を底面側から見た分解斜視図である。
【図９】本発明に係る第２実施形態の充電台１０１を示す部分断面斜視図である。
【図１０】本発明に係る第３実施形態の充電台１０２を示す部分断面斜視図である。
【図１１】図１０に示す充電台１０２におけるノブアッセンブリ１９０を示す斜視図であり、（Ａ）は斜視図、（Ｂ）は分解斜視図である。
【発明を実施するための形態】
【００１９】
以下、本発明を実施するための一例となる形態について、図面を参照しながら説明する。まず、第１実施形態の充電台１００の概要について説明し、次に、第１実施形態の充電台１００と組み合わせて用いられる携帯電話機１について説明する。
図１は、第１実施形態の充電台１００を示す斜視図であり、（Ａ）は、台側充電端子１５２Ａが突出していない状態を示す図、（Ｂ）は、仮想的に台側充電端子１５２Ａが突出している状態を示す図である。図２は、図１に示す充電台１００に携帯電話機１が載置された状態を示す斜視図である。図３は、図２に示す携帯電話機１を閉じた状態で示す斜視図である。図４は、図２に示す携帯電話機１を開いた状態で示す斜視図である。図５は、図３に示す携帯電話機１を操作部側筐体２の背面２ｂ側から見た斜視図である。
【００２０】
図１に示すように、充電台１００は、その全体形状が略直方体状を呈している。充電台１００は、その外部に、携帯電話機１が載置される載置部１１３を備えている。載置部１１３は、携帯電話機１の下端部と対応する凹形状に形成されている。また、充電台１００は、図示しない充電用ケーブルを介して外部電源に接続されるようになっている。
充電台１００には、被押圧突起１２３と、係止部１３２と、接触端子としての台側充電端子１５２Ａとが、載置部１１３から出没自在に設けられている。
【００２１】
図２に示すように、充電台１００の載置部１１３には、閉じた状態の携帯電話機１がほぼ垂直方向に延びる状態で載置される。このように携帯電話機１が載置部１１３に載置された状態において、被押圧突起１２３は、携帯電話機１の下端部に押圧されて、充電台１００の内部に押し込まれる。係止部１３２は、携帯電話機１の被係止部５２（後述。図５参照）に係合して、携帯電話機１を充電台１００に安定的に保持する。また、台側充電端子１５２Ａは、携帯電話機１における被接触端子としての機器側充電端子５１，５１（後述。図５参照）に電気的に接続可能に接触する。
つまり、充電台１００は、その載置部１１３に載置された携帯電話機１に、前記充電用ケーブルを介して外部電源から供給される電力によって充電する充電台として機能する。
【００２２】
次に、第１実施形態の充電台１００と組み合わせて用いられる携帯電話機１について、図３から図５を参照しながら説明する。
図３から図５に示すように、携帯電話機１は、折り畳み型の携帯電話機であって、略直方体形状の操作部側筐体２と、略直方体形状の表示部側筐体３と、操作部側筐体２と表示部側筐体３とを連結する連結部４と、を備える。
【００２３】
操作部側筐体２の上端部と表示部側筐体３の下端部とは、連結部４を介して開閉可能に連結されている。つまり、連結部４は、表示部側筐体３と操作部側筐体２とを開閉軸Ｘを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開状態。図４参照）にしたり、操作部側筐体２と表示部側筐体３とを折り畳んだ状態（折畳み状態／閉状態。図３及び図５参照）にすることができる。
【００２４】
操作部側筐体２は、その外面が、フロントケース２１及びリアケース２２を主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２は、前面２ａと反対側の面である背面２ｂ側を構成する。
【００２５】
フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２６】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２７】
操作部側筐体２の前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において、携帯電話機１の長手方向の一方の端部側に配置される。
【００２８】
操作部側筐体２の側面には、例えば、外部機器（例えば、ホスト装置）とデータの送受信を行うためのインターフェース、ヘッドホン／マイク端子、着脱可能な外部メモリのインターフェースが設けられている。
【００２９】
図５に示すように、操作部側筐体２の背面２ｂにおける下端部（連結部４とは反対側の端部）の近傍には、１個の被係止部５２と、２個一対の被接触端子としての機器側充電端子５１，５１と、が設けられている。一対の機器側充電端子５１，５１は、携帯電話機１におけるバッテリを充電するための充電端子であり、一方が入力端子であり、他方が出力端子である。
【００３０】
次に、表示部側筐体３について説明する。図３から図５に示すように、表示部側筐体３は、その外面が、表示部側筐体３の前面３ａ側を覆うフロントケース３０ａと、表示部側筐体３の背面３ｂ側を覆うリアケース３０ｂとが結合されて構成される。
【００３１】
図３から図５に示すように、表示部側筐体３の前面３ａは、フロントケース３０ａ及びカバー部材３３を主体として構成されている。前面３ａは、携帯電話機１を折り畳んだ状態で操作部側筐体２と向かい合う面である。表示部側筐体３における背面３ｂは、リアケース３０ｂを主体として構成されている。背面３ｂは、前面３ａとは反対側の面である。
【００３２】
表示部側筐体３内には、ディスプレイモジュールとして、各種情報を表示させるメイン液晶モジュール３４が配置されている。メイン液晶モジュール３４の一方の面には、メイン表示部３４ａが設けられている。メイン表示部３４ａは、透明部分を主体とするカバー部材３３を介して表示部側筐体３の前面３ａに露出する。
【００３３】
また、フロントケース３０ａには、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態において、携帯電話機１の長手方向の一方の端部側に配置される。
【００３４】
表示部側筐体３のリアケース３０ｂ側には、各種情報を表示させるサブ液晶モジュール３６が配置されている。サブ液晶モジュール３６の一方の面には、サブ表示部３６ａが設けられている。サブ表示部３６ａは、リアケース３０ｂの透明部分を介して表示部側筐体３の背面３ｂに露出する。
【００３５】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背側から光を照射するバックライト等の光源部などから構成される。
【００３６】
次に、第１実施形態の充電台１００について、図１から図５に加え、図６から図８を参照して説明する。
図６は、図１に示す充電台１００を示す部分断面斜視図である。図７は、図１に示す充電台１００の縦断面図である。図８は、図１に示す充電台１００を底面側から見た分解斜視図である。
【００３７】
なお、図７に示すように、充電台１００の説明においては、載置部１１３が形成されている側を「前側」と呼称し、前側の反対側を「背側」と呼称し、前側に向かって左右方向を「幅方向」と呼称する。また、充電台１００の各構成部材の回動方向に関しては、図７に示す縦断面図において、反時計回りを「正（＋）方向」と呼称し、時計回りを「負（−）方向」と呼称する。
【００３８】
図１及び図６から図８に示すように、充電台１００は、その外面が、ケース１１１及び底板１１２を主体として構成される。底板１１２は、充電台１００の底面を形成する。ケース１１１は、充電台１００における底板１１２以外の外面の大部分を形成する。ケース１１１と底板１１２とが所定の結合手段（図示せず）によって一体に結合されることにより、本発明における「筐体」が構成される。
【００３９】
充電台１００の筐体の内部には、充電台１００の構成部材が収容される空間が形成される。充電台１００の内部には、被押圧部材としての端子ノブ１２０と、係止部材としてのロックノブ１３０と、付勢力発生手段としてのロックバネ１４０と、端子部材としての左右一対の端子バネ１５０，１５０と、電子基板１６０とが配設されている。
【００４０】
電子基板１６０は、底板１１２と平行な状態で、ケース１１１に固定されている。電子基板１６０の上面の背側には、コネクタ１６１が配設されている。コネクタ１６１は、ケース１１１の背側に露出しており、このコネクタ１６１に外部電源からの充電用ケーブル（図示せず）が接続されるようになっている。
【００４１】
ケース１１１の外部の前側には、載置部１１３が形成されている。この載置部１１３には、図２に示すように、携帯電話機１が載置される。
図１及び図６から図８に示すように、載置部１１３は、左右の側面１１３Ｓ，１１３Ｓと、背面１１３Ｒと、底面１１３Ｆとを備える。載置部１１３の上側及び前側は開放している。載置部１１３の幅方向は、充電台１００の全幅よりも狭くなっている。載置部１１３の深さは、充電台１００の全体の高さよりも浅くなっている。
【００４２】
載置部１１３の背面１１３Ｒは、上側に向かうに連れて背側に傾くように、所定角度で傾斜している。載置部１１３の底面１１３Ｆは、背面１１３Ｒと略直角に交わるように、前側に向かうに連れて上側に傾くように傾斜している。これにより、携帯電話機１は、載置部１１３に、携帯電話機１の上端部が背側に所定角度傾斜した状態で載置される。
また、載置部１１３の前側には、ガイドリブ１１３Ｇが設けられている。ガイドリブ１１３Ｇは、左右の側面１１３Ｓ，１１３Ｓ及び底面１１３Ｆに沿って「コ」の字状に延びている。このガイドリブ１１３Ｇは、載置部１１３に載置された携帯電話機１が前側にずれたり、脱落したりすることの防止などを目的として設けられる。
【００４３】
載置部１１３の底面１１３Ｆの幅方向中央には、第２開口としての操作孔１１３Ａが設けられている。この操作孔１１３Ａには、端子ノブ１２０の被押圧突起１２３（詳細は後述）に対応する位置に設けられた孔部である。操作孔１１３Ａは、載置部１１３に載置された状態における携帯電話機１の下端部に対向する位置に形成される。
【００４４】
載置部１１３の背面１１３Ｒには、第１開口としてのロック孔１１３Ｂと、第３開口としての一対の端子孔１１３Ｃ，１１３Ｃとが設けられている。
ロック孔１１３Ｂは、ロックノブ１３０の係止部１３２（詳細は後述）に対応する位置に設けられた孔部である。ロック孔１１３Ｂは、載置部１１３に載置された状態における携帯電子機器の被係止部５２に対向する位置に形成される。
また、一対の端子孔１１３Ｃ，１１３Ｃは、それぞれ端子バネ１５０，１５０の台側充電端子１５２Ａ，１５２Ａ（詳細は後述）に対応する位置に設けられた孔部である。端子孔１１３Ｃは、載置部１１３に載置された状態における携帯電話機１の機器側充電端子５１に対向する位置に形成される。
【００４５】
図８に示すように、ケース１１１の内側の上部には、端子ノブ軸受板１１１Ａが、下向きに延びるように設けられる。端子ノブ軸受板１１１Ａの下端部には、端子ノブ１２０の端子ノブ軸１２４（後述）を回転自在に支持する第１軸受け部１１１Ｃが設けられる。
ケース１１１の内側の上部には、ロックノブ軸受板１１１Ｂが、下向きに延びるように設けられる。ロックノブ軸受板１１１Ｂの下端部には、ロックノブ１３０のロックノブ軸１３４（詳細は後述）を回転自在に支持する第２軸受け部１１１Ｄが設けられる。
【００４６】
次に、端子ノブ１２０について説明する。
図１及び図６から図８に示すように、端子ノブ１２０は、下アーム部１２１と、下アーム部１２１に略直角に立設された一対の縦アーム部１２２，１２２と、被押圧部としての被押圧突起１２３と、第２回転軸形成部材としての端子ノブ軸１２４と、を備える。端子ノブ１２０は、側面視においてＬ字状に形成されている。
【００４７】
下アーム部１２１は、背側に位置する基部枠１２１Ｂと、前側に位置する前枠１２１Ｆと、左右の側枠１２１Ｓ，１２１Ｓとを備えている。下アーム部１２１は、基部枠１２１Ｂと前枠１２１Ｆとが左右の側枠１２１Ｓ，１２１Ｓによって連結されることにより、中央に開口部１２１Ｈを有する角枠状に形成されている。
【００４８】
左右の縦アーム部１２２，１２２は、下アーム部１２１における基部枠１２１Ｂの左右両端部に、それぞれ所定高さに立設されている。
左右の縦アーム部１２２，１２２の間には、基部枠１２１Ｂから所定高さに立設された板状のリブ１２２Ｂが、左右の縦アーム部１２２，１２２を繋ぐように設けられている。
また、左右の縦アーム部１２２，１２２それぞれ側面には、背側に開放するバネ係合部（端子部材押圧部）１２２Ａを備えている。バネ係合部１２２Ａには、後述する端子バネ１５０の端子アーム１５２が係合する。バネ係合部１２２Ａは、台側充電端子１５２Ａが端子孔１１３Ｃから離間するように、端子バネ１５０を押圧する。
【００４９】
被押圧突起１２３は、前枠１２１Ｆの上面の幅方向中央部に、所定高さに突設されている。被押圧突起１２３の先端部（上端部）は、丸みを帯びている。被押圧突起１２３は、充電台１００の載置部１１３に載置された状態の携帯電話機１の下端部により押圧される。
【００５０】
端子ノブ軸１２４，１２４は、左右の側枠１２１Ｓ，１２１Ｓにおける基部枠１２１Ｂの近傍に、それぞれ一対設けられている。端子ノブ軸１２４は、被押圧突起１２３から離間している。端子ノブ軸１２４は、開口部１２１Ｈの内外両側に向けて、各側枠１２１Ｓ，１２１Ｓからそれぞれ所定長さに延びている。端子ノブ軸１２４の軸心方向は、基部枠１２１Ｂ及び前枠１２１Ｆと平行となっており、充電台１００の幅方向に平行となっている。
【００５１】
端子ノブ１２０は、端子ノブ軸１２４がケース１１１の端子ノブ軸受板１１１Ａの第１軸受け部１１１Ｃに回転自在に支持されて、ケース１１１の内部に配置される。そのため、端子ノブ１２０は、ケース１１１の内側において、端子ノブ軸（第２回転軸）１２４を中心として、回動自在になっている。つまり、第２回転軸は、ロックノブ軸１３４（詳細は後述）とは別体の端子ノブ軸１２４から形成される。
【００５２】
そして、端子ノブ１２０は、被押圧突起１２３がケース１１１（載置部１１３）の操作孔１１３Ａを介して上側に突出する位置と、被押圧突起１２３がケース１１１の内側に退避する位置との間で、回動可能となっている。被押圧突起１２３が操作孔１１３Ａから所定量突出すると、下アーム部１２１がケース１１１の内側に当接するため、端子ノブ１２０は、それ以上、被押圧突起１２３が突出する方向へ回動しない。
【００５３】
次に、ロックノブ１３０について説明する。
図１及び図６から図８に示すように、ロックノブ１３０は、ケース１１１及び底板１１２を主体とする筐体の内部に配設される。ロックノブ１３０は、略角柱状の本体部１３１と、係止部１３２と、ストッパ部１３３と、第１回転軸形成部材としてのロックノブ軸１３４と、を備える。
【００５４】
本体部１３１は、ロックノブ１３０の本体を構成する。
係止部１３２は、載置部１１３に載置された状態における携帯電話機１の被係止部５２を係止する部位である。係止部１３２は、本体部１３１の先端側から基端側に向けて漸次厚くなるように先端が尖った直角三角形状の側面形状を有しており、本体部１３１の前側に突出している。
【００５５】
ストッパ部１３３は、平板状であり、ロックノブ１３０における係止部１３２よりも先端部（上端部）側に設けられる。
ロックノブ軸１３４は、所定径及び所定長さを有する軸であり、本体部１３１の基端（下端）部の左右両側面からそれぞれ突設されている。ロックノブ軸１３４は、係止部１３２から離間している。
【００５６】
ロックノブ１３０は、端子ノブ１２０における下アーム部１２１の開口部１２１Ｈの内側に配置される。ロックノブ１３０は、ケース１１１のロック孔１１３Ｂを介して、係止部１３２がケース１１１の外部に突出するように付勢されて構成される。
ロックノブ軸（第１回転軸）１３４がロックノブ軸受板１１１Ｂの第２軸受け部１１１Ｄに回転自在に支持されて、ロックノブ１３０は、ケース１１１の内部に配置される。ロックノブ軸１３４の軸心は、端子ノブ１２０の端子ノブ軸１２４の軸心と略一致している。つまり、ロックノブ軸（第１回転軸）１３４と端子ノブ軸（第２回転軸）１２４とは、略同一の軸線状に配列している。「略同一」とは、軸線のズレが５ｍｍ以内であることをいう。
【００５７】
ロックノブ１３０は、係止部１３２がケース１１１（背面１１３Ｒ）のロック孔１１３Ｂから前側に所定量突出する位置と、係止部１３２がケース１１１の内部に退避する位置との間で、回動可能となっている。係止部１３２がケース１１１のロック孔１１３Ｂからの所定量突出すると、ストッパ部１３３がケース１１１の内側に当接し、ロックノブ１３０は、それ以上、係止部１３２が突出する方向へ回動しない。
【００５８】
次に、ロックバネ１４０について説明する。
図１及び図６から図８に示すように、ロックバネ１４０は、ロックノブ１３０に装着され、ロックノブ１３０を正（＋）方向（図７における反時計回り）に揺動するように付勢すると共に、端子ノブ１２０を負（−）方向（図７における時計回り）に揺動するように付勢する。
【００５９】
ロックバネ１４０は、弾性変形可能なバネ鋼等の線材を屈曲させて形成されている。ロックバネ１４０は、左右一対のコイル部１４１，１４１と、左右のコイル部１４１，１４１を連結する連結部１４２と、両コイル部１４１，１４１からそれぞれ延設された操作端部１４３，１４３とを備えている。連結部１４２と操作端部１４３，１４３とは、それぞれコイル部１４１，１４１からその接線方向に延びており、所定の角度をなしている。これにより、ロックバネ１４０は、側面視において略字Ｖ状を呈した「コイルばね」を構成している。
【００６０】
コイル部１４１は、ロックノブ１３０のロックノブ軸１３４に外挿可能な内径を有するように、所定数巻回されて形成されている。コイル部１４１は、ロックノブ１３０の本体部１３１とロックノブ軸受板１１１Ｂとの間に位置している。
連結部１４２は、コイル部１４１，１４１を形成する線材が、一方のコイル部１４１からロックノブ１３０の本体部１３１の背側を経由して他方のコイル部１４１に亘って延びて形成される。
【００６１】
操作端部１４３は、コイル部１４１，１４１を形成する線材が、左右のコイル部１４１，１４１のそれぞれ外側の端部から所定長さに延設されて形成される。ロックバネ１４０の操作端部１４３は、端子ノブ１２０におけるリブ１２１Ｒの前側に位置している。
そして、ロックバネ１４０は、左右のコイル部１４１，１４１がそれぞれロックノブ１３０の左右のロックノブ軸１３４に外挿されて、ロックノブ１３０に装着されている。
【００６２】
ここで、ロックバネ１４０は、連結部１４２と操作端部１４３との狭角が小さくなる方向に弾性変形した状態で、端子ノブ１２０及びロックノブ１３０に装着される。これにより、ロックバネ１４０は、その弾性復帰力により、ロックノブ軸１３４を中心にロックノブ１３０を回動させるように正（＋）方向に押圧して付勢すると共に、端子ノブ軸１２４を中心に端子ノブ１２０を、ロックノブ１３０の回動方向とは反対方向の負（−）方向に押圧して回動させるように付勢する。
【００６３】
このロックバネ１４０の付勢力によって、ロックノブ１３０は、ストッパ部１３３がケース１１１（載置部１１３における背面１１３Ｒ）の内側に当接する位置まで回動する。また、端子ノブ１２０は、下アーム部１２１がケース１１１（載置部１１３における底面１１３Ｆ）の内側に当接する位置まで回動する。その結果、ロックノブ１３０の係止部１３２は、ロック孔１１３Ｂから載置部１１３側に突出した状態となる。また、端子ノブ１２０の被押圧突起１２３は、操作孔１１３Ａから載置部１１３側に突出した状態となる。
【００６４】
このように、ロックノブ１３０の係止部１３２がロック孔１１３Ｂから突出すると共に、端子ノブ１２０の被押圧突起１２３が操作孔１１３Ａから突出した状態が、充電台１００の非載置状態（載置部１１３に携帯電話機１が載置されていない状態）である。
この非載置状態の充電台１００において、操作孔１１３Ａから載置部１１３側に突出する被押圧突起１２３がロックバネ１４０による付勢力以上の力で押圧されると、端子ノブ１２０は正方向に揺動する。このとき、ロックバネ１４０の変形量が大きくなって、ロックバネ１４０の弾性復帰力が強まる。その結果、ロックノブ１３０には、より大きな正方向の回動付勢力が作用する。しかし、ロックノブ１３０は、ストッパ部１３３がケース１１１の内側に当接しているため、それ以上回動することはない。
【００６５】
一方、非載置状態の充電台１００において、ロック孔１１３Ｂから載置部１１３側に突出するロックノブ１３０の係止部１３２がロックバネ１４０による付勢力以上の力で押圧されると、ロックノブ１３０は負方向に揺動する。この際、ロックバネ１４０の変形量が大きくなって、ロックバネ１４０の弾性復帰力が強まる。その結果、端子ノブ１２０には、より大きな負方向の回動付勢力が作用する。しかし、端子ノブ１２０は、下アーム部１２１がケース１１１の内側に当接しているため、それ以上回動することはない。
【００６６】
つまり、前述のようにロックバネ１４０が配置されることにより、端子ノブ１２０及びロックノブ１３０は、同一（１個）のロックバネ１４０から付勢力を受け、負方向又は正方向にそれぞれ回動して付勢される。また、端子ノブ１２０とロックノブ１３０とは、それぞれ独立して揺動可能となっている。
【００６７】
次に、端子バネ１５０について説明する。
図６から図８に示すように、端子バネ１５０，１５０は、ケース１１１の内部に、端子ノブ１２０の左右両側にそれぞれ左右対称に配設されている。端子バネ１５０は、導電性及びバネ性を有するリン青銅等の線材によって形成されている。端子バネ１５０は、コイル部１５１と、コイル部１５１からそれぞれ延設された端子アーム１５２及び固定端子部１５３と、を備えている。端子アーム１５２と固定端子部１５３とは、それぞれコイル部１５１の接線方向に所定の角度をなして延びている。端子バネ１５０は、側面視において略字Ｖ状を呈している。
【００６８】
コイル部１５１は、線材が所定の径で所定数巻回されて形成されている。
端子アーム１５２は、コイル部１５１の一方の端部がコイル部１５１の接線方向に延設されて形成されている。そして、端子アーム１５２は、コイル部１５１の巻回中心（第３回転軸）を中心に回動自在に構成される。
端子アーム１５２の先端部には、前側に向けて突出するように屈曲された台側充電端子１５２Ａが形成されている。そして、端子バネ１５０は、端子孔１１３Ｃを介して台側充電端子１５２Ａがケース１１１の外部に突出可能に構成される。そのため、台側充電端子１５２Ａは、載置部１１３に載置された状態における携帯電話機１の被接触端子５１に接触する。
【００６９】
固定端子部１５３は、コイル部１５１の他方の端部がコイル部１５１の接線方向に延設されて形成されている。固定端子部１５３は、半田付け等により電子基板１６０に固定されている。固定端子部１５３は、電子基板１６０を介してコネクタ１６１に電気的に接続されている。
【００７０】
端子バネ１５０のコイル部１５１は、端子ノブ１２０における縦アーム部１２２の基部の近傍に位置している。端子バネ１５０の端子アーム１５２は、端子ノブ１２０における縦アーム部１２２のバネ係合部１２２Ａに係合している。端子アーム１５２の台側充電端子１５２Ａは、ケース１１１における載置部１１３の背面１１３Ｒに形成されたロック孔１１３Ｂと対応する位置に位置している。
【００７１】
そして、端子バネ１５０の端子アーム１５２は、固定端子部１５３と端子アーム１５２との間が狭くなる方向に、端子ノブ１２０における縦アーム部１２２のバネ係合部１２２Ａに押圧されて、弾性変形している。そのため、端子バネ１５０の端子アーム１５２は、その弾性復帰力によって端子ノブ１２０の縦アーム部１２２を押圧して付勢している。これにより、端子アーム１５２は、端子ノブ１２０の回動に追従して揺動するようになっている。
【００７２】
そして、端子ノブ１２０が自由状態（被押圧突起２３が操作孔１３Ａから突出した状態）では、台側充電端子１５２Ａは、ケース１１１の内側に位置する。一方、被押圧突起１２３が押圧されて、端子ノブ１２０が正方向に揺動すると、台側充電端子１５２Ａは、ケース１１１の端子孔１１３Ｃから外部に所定量突出する。つまり、端子バネ１５０の台側充電端子１５２Ａは、充電台１００が非載置状態では、ケース１１１の内側の退避位置にあり、自由状態から被押圧突起２３が押圧されると、端子孔１１３Ｃから外部（載置部１１３側）に突出するようになっている。
【００７３】
前述のように構成された充電台１００は、載置部１１３に載置された携帯電話機１を安定して保持すると共に、充電作用に必要な電気的な接続が可能である。
すなわち、携帯電話機１を載置部１１３に載置する過程において、携帯電話機１は、ロック孔１１３Ｂを介して載置部１１３側に突出する係止部１３２を押圧する。これにより、ロックノブ１３０がロックバネ１４０の付勢力に抗して負方向に回動し、係止部１３２がロック孔１１３Ｂの内部に収納される。そのため、載置部１１３への携帯電話機１の載置が可能となる。
【００７４】
携帯電話機１が載置部１１３の所定位置に載置されると、ロックバネ１４０の付勢力によるロックノブ１３０の回動によって、係止部１３２は、ロック孔１１３Ｂから突出し、携帯電話機１の被係止部５２を係止する。これにより、携帯電話機１は、充電台１００の載置部１１３に安定的に載置されることとなる。
【００７５】
また、携帯電話機１が充電台１００の載置部１１３に載置されると、携帯電話機１の下端部が被押圧突起１２３を押し下げる。その結果、端子ノブ１２０は、ロックバネ１４０の付勢力に抗して正方向に回動して操作される。この端子ノブ１２０の正方向の回動に伴って、端子バネ１５０の台側充電端子１５２Ａは、端子孔１１３Ｃから突出して、携帯電話機１の機器側充電端子５１に導通可能に接触する。これにより、充電台１００と携帯電話機１との間で、携帯電話機１への充電が可能な電気的接続が形成される。
【００７６】
ここで、ロックバネ１４０と端子バネ１５０とによって、端子ノブ１２０及びロックノブ１３０に作用する力のバランスについて説明する。
端子バネ１５０の弾性付勢力により台側充電端子１５２Ａに前側に向けて加わる荷重を「Ｆ１」、端子ノブ１２０のバネ係合部１２２Ａにより端子バネ１５０に背側に向けて加わる荷重（台側充電端子１５２Ａをロック孔１１３Ｂから突出させないように抑える荷重）を「Ｆ２」、端子ノブ１２０の被押圧突起１２３により携帯電話機１を押し上げる荷重を「Ｆ３」、携帯電話機１の自重を「Ｆ４」、ロックノブ１３０の係止部１３２により携帯電話機１の被係止部５２に下側に向けて加わる荷重を「Ｆ５」とする場合に、以下の関係が成り立つ。
Ｆ１＜Ｆ２
Ｆ２≒Ｆ３≒Ｆ５（同一のロックバネ１４０による荷重であるため）
Ｆ３＜Ｆ４＋Ｆ５
従って、携帯電話機１は、そのほぼ全質量を載置部１１３の底面１１３Ｆに作用させた状態で、載置部１１３に安定的に載置される。つまり、携帯電話機１が被押圧突起１２３によって載置部１１３から押し出されるようなことはない（Ｆ３＜Ｆ４＋Ｆ５）。
【００７７】
第１実施形態の充電台１００によれば、例えば下記の効果が奏される。
第１実施形態の充電台１００においては、ロックノブ１３０及び端子ノブ１２０は、同一のロックバネ１４０からの付勢力を受ける。そのため、ロックノブ１３０及び端子ノブ１２０を付勢する付勢部材をそれぞれ設ける構成に比較して、構成部品の点数が削減され、構成が簡略化される。その結果、充電台１００の組み立ても容易であり、部品点数及び組立工数の削減によってコストダウンが可能となる。
【００７８】
また、ロックノブ１３０及び端子ノブ１２０が同一のロックバネ１４０からの付勢力を受けるため、ロックノブ１３０及び端子ノブ１２０を付勢する付勢部材をそれぞれ設ける構成に比較して、付勢力の設定（調整）を不要とすることができ、設計が容易となる。
【００７９】
また、ロックノブ１３０は、ロックノブ軸１３４を中心に回動自在に構成され、端子ノブ１２０は、ロックノブ軸１３４と略同一の軸線状に配列する端子ノブ軸１２４を中心に回動自在に構成されている。そのため、ロックノブ１３０のストッパ部１３３の動きが安定的となる。
【００８０】
次に、本発明の他の実施形態について説明する。他の実施形態については、主として、第１実施形態とは異なる点を説明し、第１実施形態と同様の構成について同じ符号を付し、説明を省略する。他の実施形態について特に説明しない点については、第１実施形態についての説明が適宜適用される。他の実施形態においても、第１実施形態と同様の効果が奏される。
【００８１】
図９は、本発明に係る第２実施形態の充電台１０１を示す部分断面斜視図である。
第２実施形態の充電台１０１は、前述した第１実施形態の充電台１００に比して、主として、ロックノブに付勢力を発生させる構成（付勢力発生手段）が異なる。第２実施形態においては、付勢力発生手段は、ロックノブ１７０と一体的に形成された一体ばね部から構成される。
【００８２】
第２実施形態におけるロックノブ１７０は、略角柱状の本体部１７１に、係止部１７２と、ストッパ部１７３と、ロックノブ軸１７４と、一体ばね部としての操作アーム部１７５と、を備え、これらが一体的に形成されて構成されている。
【００８３】
本体部１７１は、ロックノブ１７０の本体を構成する。
係止部１７２は、本体部１７１の先端側から基端側に向けて漸次厚くなるように先端が尖った直角三角形状の側面形状を有しており、本体部１７１の前側に突出している。
ストッパ部１７３は、平板状であり、ロックノブ１７０における係止部１７２よりも先端部（上端部）側に設けられる。
ロックノブ軸１７４は、所定径及び所定長さを有する軸であり、本体部１７１の基端（下端）部の左右両側面からそれぞれ突設されている。
【００８４】
操作アーム部１７５は、本体部１７１の基端から所定長さ延設されている。操作アーム部１７５と本体部１７１とは所定の狭角をなしている。これにより、ロックノブ１７０は、側面視における全体形状が略Ｖ字状を呈している。
ここで、ロックノブ１７０は、プラスチック、金属等の弾性素材によって、操作アーム部１７５が本体部１７１に接近する方向に弾性変形が可能に形成されている。
【００８５】
このように構成されたロックノブ１７０は、ロックノブ軸１７４を介してケース１１１に揺動可能に設けられている。この状態において、ロックノブ１７０は、操作アーム部１７５が本体部１７１に対して狭角が狭くなる側に弾性変形している。そして、その弾性復帰力によって、ストッパ部１７３は、ケース１１１の内面（載置部１１３の背面１１３Ｒの内面）に当接する。操作アーム部１７５は、端子ノブ１２０におけるリブ１２１Ｒの上縁を押圧して付勢している。この操作アーム部１７５の押圧付勢力によって、端子ノブ１２０は、負方向に揺動する方向に付勢されている。
【００８６】
つまり、第２実施形態の充電台１０１は、ロックノブ１７０自体が弾性変形することによる弾性復帰力により、ロックノブ１７０の係止部１７２をロック孔１１３Ｂから突出させると共に、被押圧突起１２３を操作孔１１３Ａから突出させるように構成されている。
【００８７】
第２実施形態の充電台１０１によれば、例えば下記の効果が奏される。
第２実施形態の充電台１０１においては、付勢力発生手段は、ロックノブ１７０と一体的に形成された操作アーム部１７５から構成されている。そのため、操作アーム部１７５の弾性復帰力によって、ロックノブ１７０及び端子ノブ１２０が回動される方向に付勢される。従って、ロックノブ１７０及び端子ノブ１２０を揺動して付勢するための弾性部材などを別途備える必要がない。その結果、部品点数及び組立工数を削減でき、コストダウンが可能となる。
【００８８】
なお、前述の第２実施形態においては、ロックノブ１７０は、同一素材によって一体的に形成されているが、これに制限されず、二つの部品を一体化して構成されていてもよい。例えば、ロックノブ１７０は、操作アーム部１７５を金属製の板ばねによって形成すると共に、この板ばねを本体部１７１にインサート成形等によって一体化して構成することができる。
【００８９】
次に、本発明の第３実施形態について、図１０及び図１１を参照しながら説明する。
図１０は、本発明に係る第３実施形態の充電台１０２を示す部分断面斜視図である。図１１は、図１０に示す充電台１０２におけるノブアッセンブリ１９０を示す斜視図であり、（Ａ）は斜視図、（Ｂ）は分解斜視図である。
第３実施形態の充電台１０２は、第１実施形態の充電台１００に比して、端子ノブ１２０と、ロックノブ１３０と、ロックバネ１４０とが連結され、ノブアッセンブリ１９０を構成している点が主として異なる。
【００９０】
図１０及び図１１に示すように、端子ノブ１２０は、下アーム部１２１と、下アーム部１２１に略直角に立設された一対の縦アーム部１２２，１２２と、被押圧部としての被押圧突起１２３と、支持軸孔１２５と、を備える。端子ノブ１２０は、側面視においてＬ字状に形成されている。
【００９１】
下アーム部１２１は、背側に位置する基部枠１２１Ｂと、前側に位置する前枠１２１Ｆと、左右の側枠１２１Ｓ，１２１Ｓとを備えている。下アーム部１２１は、基部枠１２１Ｂと前枠１２１Ｆとが左右の側枠１２１Ｓ，１２１Ｓによって連結されることにより、中央に開口部１２１Ｈを有する角枠状に形成されている。
支持軸孔１２５，１２５は、左右の側枠１２１Ｓ，１２１Ｓにおける基部枠１２１Ｂの近傍に、それぞれ形成されている。支持軸孔１２５の中心軸方向は、基部枠１２１Ｂ及び前枠１２１Ｆと平行となっている。
【００９２】
左右の縦アーム部１２２，１２２は、下アーム部１２１における基部枠１２１Ｂの左右両端部に、それぞれ所定高さに立設されている。
左右の縦アーム部１２２，１２２の間には、基部枠１２１Ｂから所定高さに立設された板状のリブ１２２Ｂが、左右の縦アーム部１２２，１２２を繋ぐように設けられている。
また、左右の縦アーム部１２２，１２２それぞれ側面には、背側に開放するバネ係合部（端子部材押圧部）１２２Ａを備えている。バネ係合部１２２Ａには、端子バネ１５０の端子アーム１５２が係合する。
被押圧突起１２３は、前枠１２１Ｆの上面の幅方向中央部に、所定高さに突設されている。
【００９３】
図１０及び図１１に示すように、ロックノブ１３０は、略角柱状の本体部１３１と、係止部１３２と、ストッパ部１３３と、支持軸孔１３５と、を備える。
【００９４】
本体部１３１は、ロックノブ１３０の本体を構成する。
支持軸孔１３５は、本体部１３１の基端（下端）に左右方向に貫通されて形成されている。
係止部１３２は、載置部１１３に載置された状態における携帯電話機１の被係止部５２を係止する部位である。係止部１３２は、本体部１３１の前側に突出している。
ストッパ部１３３は、平板状であり、ロックノブ１３０における係止部１３２よりも先端部（上端部）側に設けられる。
【００９５】
ロックバネ１４０は、弾性変形可能なバネ鋼等の線材を屈曲させて形成されている。ロックバネ１４０は、左右一対のコイル部１４１，１４１と、左右のコイル部１４１，１４１を連結する連結部１４２と、両コイル部１４１，１４１からそれぞれ延設された操作端部１４３，１４３とを備えている。連結部１４２と操作端部１４３，１４３とは、それぞれコイル部１４１，１４１からその接線方向に延びており、所定の角度をなしている。これにより、ロックバネ１４０は、側面視において略字Ｖ状を呈し、いわゆる「コイルばね」を構成している。
【００９６】
コイル部１４１は、後述する支持軸１９１に外挿可能な内径を有するように、所定数巻回されて形成されている。
連結部１４２は、コイル部１４１，１４１を形成する線材が、一方のコイル部１４１からロックノブ１３０の本体部１３１の背側を経由して他方のコイル部１４１に亘って延びて形成される。
【００９７】
操作端部１４３は、コイル部１４１，１４１を形成する線材が、左右のコイル部１４１，１４１のそれぞれ外側の端部から所定長さに延設されて形成される。ロックバネ１４０の操作端部１４３は、端子ノブ１２０におけるリブ１２１Ｒの前側に位置している。
【００９８】
ノブアッセンブリ１９０は、端子ノブ１２０の開口部１２１Ｈの内側における所定位置に、ロックノブ１３０と、ロックバネ１４０とが、回転軸形成部材としての支持軸１９１によって一体的に装着されて構成されている。すなわち、端子ノブ１２０の開口部１２１Ｈの内側における所定位置に、ロックノブ１３０とロックバネ１４０とを位置させて、端子ノブ１２０の支持軸孔１２５、ロックバネ１４０のコイル部１４１、及びロックノブ１３０の支持軸孔１３５に支持軸１９１を連通させることで、ノブアッセンブリ１９０は、一体的に組み立てられる。
【００９９】
支持軸１９１は、端子ノブ１２０の幅よりも所定量長く設定されている、支持軸１９１の両端は、端子ノブ１２０の左右の側面からそれぞれ所定量突出している。そして、ノブアッセンブリ１９０は、端子ノブ１２０から突出した支持軸１９１の端部により、ケース１１１に回転自在に支持される。
【０１００】
ここで、ロックバネ１４０は、連結部１４２と操作端部１４３との狭角が小さくなる方向に弾性変形した状態で、端子ノブ１２０、ロックノブ１３０及び支持軸１９１に装着される。これにより、ロックバネ１４０は、その弾性復帰力により、支持軸１９１を中心にロックノブ１３０を回動させるように正（＋）方向に押圧して付勢すると共に、支持軸１９１を中心に端子ノブ１２０を、ロックノブ１３０の回動方向とは反対方向の負（−）方向に押圧して回動させるように付勢する。
【０１０１】
第３実施形態の充電台１０２によれば、例えば下記の効果が奏される。
第３実施形態の充電台１０２においては、端子ノブ１２０と、ロックノブ１３０と、ロックバネ１４０とは、ノブアッセンブリ１９０を構成し、一体的にケース１１１に装着される。このため、組み立て作業が容易となって作業性が向上し、組み立て工数を削減できる。また、端子ノブ１２０とロックノブ１３０とが一つの支持軸１９１によってそれぞれ回動可能に支持されるため、端子ノブ１２０及びロックノブ１３０を支持する構成を簡略化することができる。その結果、製造コストを低減できる。
また、ロックバネ１４０による弾性復元力がロックノブ１３０及び端子ノブ１２０に対して効率的に作用する。
【０１０２】
なお、前述の第３実施形態において、端子ノブ１２０とロックノブ１３０とがそれぞれ独立して回動する構成は、例えば、端子ノブ１２０及びロックノブ１３０がそれぞれ支持軸１９１に回動可能に支持された構成でもよく、あるいは、端子ノブ１２０とロックノブ１３０のいずれか一方が支持軸１９１に固定され、いずれか他方が支持軸１９１に回動可能に支持された構成でもよい。
【０１０３】
以上、本発明の各実施形態について説明したが、本発明は、上述した各実施形態に制限されるものではない。
例えば、付勢力発生手段としてのロックバネ１４０は、コイルばねから構成されるものに制限されず、例えば、板ばねから構成することができる。
係止部材の係止部及び被係止部の構成は、互いに係止することができれば、特に制限されない。
【０１０４】
本発明の置き台としての充電器は、携帯電話機以外の携帯電子機器用の充電器に適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
本発明は、充電器以外の置き台に適用することができる。
【符号の説明】
【０１０５】
１  携帯電話機（携帯電子機器）
５１  機器側充電端子（被接触端子）
５２  被係止部
１００，１０１，１０２  充電台（置き台）
１１１  ケース（筐体）
１１２  底板（筐体）
１１３  載置部
１１３Ａ  操作孔（第２開口）
１１３Ｂ  ロック孔（第１開口）
１１３Ｃ  端子孔（第３開口）
１２０  端子ノブ（被押圧部材）
１２２Ａ  バネ係合部（端子部材押圧部）
１２３  被押圧突起（被押圧部）
１２４  端子ノブ軸（第２回転軸、第２回転軸形成部材）
１３０、１７０  ロックノブ（係止部材）
１３２、１７２  係止部
１３４  ロックノブ軸（第１回転軸、第１回転軸形成部材）
１４０  ロックバネ（付勢力発生手段）
１５０  端子バネ（端子部材）
１５２Ａ  台側充電端子（接触端子）
１７５  操作アーム部（一体ばね部）
１９１  支持軸（回転軸形成部材）
【図１】
2010166436.tif 000003
【図２】
2010166436.tif 000004
【図３】
2010166436.tif 000005
【図４】
2010166436.tif 000006
【図５】
2010166436.tif 000007
【図６】
2010166436.tif 000008
【図７】
2010166436.tif 000009
【図８】
2010166436.tif 000010
【図９】
2010166436.tif 000011
【図１０】
2010166436.tif 000012
【図１１】
2010166436.tif 000013